【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
複数のアクセサリ装置が接続された状態で使用可能な撮像装置であって、
前記撮像装置と前記複数のアクセサリ装置との間のデータ通信に用いられるデータ通信チャネルに接続されるカメラ通信部と、
前記データ通信チャネルを介して前記複数のアクセサリ装置との間でデータ通信を行うカメラ制御部とを有し、
前記カメラ制御部は、前記複数のアクセサリ装置のそれぞれから取得した認証情報に基づいて選択した前記複数のアクセサリ装置のうち少なくとも１つのスリープ対象アクセサリ装置に対して、該スリープ対象アクセサリ装置を前記撮像装置からのデータ送信に応答して処理を行う動作状態から前記データ送信を受けても前記処理を行わないスリープ状態に移行させるためのスリープ要求コマンドを送信することを特徴とする撮像装置。
【請求項２】
前記処理は、前記撮像装置へのデータ送信であることを特徴とする請求項１に記載の撮像装置。
【請求項３】
前記スリープ要求コマンドは、前記スリープ対象アクセサリ装置に、前記撮像装置からの電源供給が遮断されるまで前記スリープ状態を維持させるコマンドであることを特徴とする請求項１または２に記載の撮像装置。
【請求項４】
前記カメラ制御部は、前記電源供給を再開することで、前記スリープ対象アクセサリ装置を前記動作状態に復帰させることを特徴とする請求項３に記載の撮像装置。
【請求項５】
前記カメラ制御部は、
前記データ通信として、前記複数のアクセサリ装置に対する第１の通信と、前記複数のアクセサリ装置のうち特定アクセサリ装置に対する第２の通信とを行うことが可能であり、
前記スリープ要求コマンドを前記第１の通信によって前記スリープ対象アクセサリ装置に送信することを特徴とする請求項１または２に記載の撮像装置。
【請求項６】
前記カメラ通信部は、前記データ通信チャネルとは別に設けられ、前記撮像装置と前記複数のアクセサリ装置との間の信号の伝達に用いられる信号伝達チャネルにも接続され、
前記カメラ制御部は、
前記各アクセサリ装置から前記信号伝達チャネルを介して前記第１の通信の待機中を示す信号を受けるごとに前記第１の通信を用いて前記特定アクセサリ装置を順次指定しながら、前記第１および第２の通信を用いて前記特定アクセサリ装置との認証通信を行い、
前記認証通信によりそれぞれの前記特定アクセサリ装置から得られた認証情報に基づいて、前記スリープ対象アクセサリ装置を特定することを特徴とする請求項５に記載の撮像装置。
【請求項７】
前記カメラ制御部は、前記複数のアクセサリ装置の数が所定数より多い場合に前記スリープ対象アクセサリ装置に対して前記スリープ要求コマンドを送信することを特徴とする請求項１から６のいずれか一項に記載の撮像装置。
【請求項８】
前記カメラ制御部は、前記スリープ対象アクセサリ装置との間で発生した通信エラーの回数が所定回数より多くなった場合に、該スリープ対象アクセサリ装置に前記スリープ要求コマンドを送信することを特徴とする請求項１から７のいずれか一項に記載の撮像装置。
【請求項９】
前記カメラ制御部は、前記スリープ対象アクセサリ装置を前記スリープ状態に移行させたことを示すユーザ通知を行うことを特徴とする請求項１から８のいずれか一項に記載の撮像装置。
【請求項１０】
前記複数のアクセサリ装置は、交換レンズ装置と、該交換レンズ装置と前記撮像装置との間に接続されるアダプタ装置とを含み、
前記スリープ対象アクセサリ装置は、前記アダプタ装置であることを特徴とする請求項１から９のいずれか一項に記載の撮像装置。
【請求項１１】
複数のアクセサリ装置が接続された状態で使用可能な撮像装置に接続される前記アクセサリ装置であって、
前記撮像装置と前記複数のアクセサリ装置との間のデータ通信に用いられるデータ通信チャネルに接続されるアクセサリ通信部と、
前記データ通信チャネルを介して前記撮像装置との間でデータ通信を行うアクセサリ制御部とを有し、
前記アクセサリ制御部は、前記撮像装置に前記アクセサリ装置の認証情報を送信し、
前記アクセサリ制御部は、前記アクセサリ装置の前記認証情報に基づいて前記撮像装置が送信したスリープ要求コマンドを受信することに応じて、前記撮像装置からのデータ送信に応答して処理を行う動作状態から前記データ送信を受けても前記処理を行わないスリープ状態に移行することを特徴とするアクセサリ装置。
【請求項１２】
前記処理は、前記撮像装置へのデータ送信であることを特徴とする請求項１１に記載のアクセサリ装置。
【請求項１３】
前記アクセサリ制御部は、前記スリープ状態を、前記撮像装置からの電源供給が遮断されるまで維持することを特徴とする請求項１１または１２に記載のアクセサリ装置。
【請求項１４】
前記アクセサリ制御部は、前記電源供給が再開されることで前記動作状態に復帰することを特徴とする請求項１３に記載のアクセサリ装置。
【請求項１５】
前記撮像装置は、前記データ通信として、前記複数のアクセサリ装置に対する第１の通信と、前記複数のアクセサリ装置のうち特定アクセサリ装置に対する第２の通信とを行うことが可能であり、
前記アクセサリ制御部は、前記スリープ要求コマンドを前記第１の通信によって受信することを特徴とする請求項１１から１４のいずれか一項に記載のアクセサリ装置。
【請求項１６】
前記アクセサリ通信部は、前記データ通信チャネルとは別に設けられ、前記撮像装置と前記複数のアクセサリ装置との間の信号の伝達に用いられる信号伝達チャネルにも接続され、
前記アクセサリ制御部は、
前記信号伝達チャネルに前記第１の通信の待機中を示す信号を出力し、
該信号を受けた前記撮像装置から前記第１の通信を用いて特定アクセサリ装置として指定されることに応じて、前記第１および第２の通信を用いて前記撮像装置との認証通信を行うことを特徴とする請求項１５に記載のアクセサリ装置。
【請求項１７】
前記アクセサリ制御部は、前記スリープ状態に移行したことを示すユーザ通知を行うことを特徴とする請求項１１から１６のいずれか一項に記載のアクセサリ装置。
【請求項１８】
前記複数のアクセサリ装置は、交換レンズ装置と、該交換レンズ装置と前記撮像装置との間に接続されるアダプタ装置とを含み、
前記アダプタ装置であることを特徴とする請求項１１から１７のいずれか一項に記載のアクセサリ装置。
【請求項１９】
複数のアクセサリ装置が接続された状態で使用可能な撮像装置であり、該撮像装置と前記複数のアクセサリ装置との間でデータ通信チャネルを介してデータ通信を行う撮像装置の制御方法であって、
前記撮像装置に前記複数のアクセサリ装置のそれぞれから認証情報を取得させるステップと、
前記撮像装置に、前記複数のアクセサリの前記認証情報に基づいて選択された前記複数のアクセサリ装置のうち少なくとも１つのスリープ対象アクセサリ装置に対して、該スリープ対象アクセサリ装置を前記撮像装置からのデータ送信に応答して処理を行う動作状態から前記データ送信を受けても前記処理を行わないスリープ状態に移行させるためのスリープ要求コマンドを送信させるステップを有することを特徴とする撮像装置の制御方法。
【請求項２０】
複数のアクセサリ装置が接続された状態で使用可能な撮像装置に接続される前記アクセサリ装置であり、前記撮像装置と前記複数のアクセサリ装置との間でデータ通信チャネルを介してデータ通信を行うアクセサリ装置の制御方法であって、
前記アクセサリ装置に認証情報を前記カメラへ送信させるステップと、
前記アクセサリ装置の前記認証情報に基づいて前記撮像装置が送信したスリープ要求コマンドを受信することに応じて、前記撮像装置からのデータ送信に応答して処理を行う動作状態から前記データ送信を受けても前記処理を行わないスリープ状態に前記アクセサリ装置を移行させるステップを有することを特徴とするアクセサリ装置の制御方法。
【請求項２１】
複数のアクセサリ装置が接続された状態で使用可能な撮像装置のコンピュータを、請求項１９に記載の制御方法に従って動作させるコンピュータプログラムであることを特徴とする制御プログラム。
【請求項２２】
複数のアクセサリ装置が接続された状態で使用可能な撮像装置に接続される前記アクセサリ装置のコンピュータを、請求項２０に記載の制御方法に従って動作させるコンピュータプログラムであることを特徴とする制御プログラム。
【手続補正２】
【補正対象書類名】明細書
【補正対象項目名】０００８
【補正方法】変更
【補正の内容】
【０００８】
本発明の一側面としての撮像装置は、複数のアクセサリ装置が接続された状態で使用可能である。該撮像装置は、撮像装置と複数のアクセサリ装置との間のデータ通信に用いられるデータ通信チャネルに接続されるカメラ通信部と、データ通信チャネルを介して複数のアクセサリ装置との間でデータ通信を行うカメラ制御部とを有する。カメラ制御部は、複数のアクセサリ装置のそれぞれから取得した認証情報に基づいて選択したにより、複数のアクセサリ装置のうち少なくとも１つのスリープ対象アクセサリ装置に対して、該スリープ対象アクセサリ装置を撮像装置からのデータ送信に応答して処理を行う動作状態からデータ送信を受けても処理を行わないスリープ状態に移行させるためのスリープ要求コマンドを送信することを特徴とする。
【手続補正３】
【補正対象書類名】明細書
【補正対象項目名】０００９
【補正方法】変更
【補正の内容】
【０００９】
また、本発明の他の一側面としてのアクセサリ装置は、複数のアクセサリ装置が接続された状態で使用可能な撮像装置に接続されるアクセサリ装置である。該アクセサリ装置は、撮像装置と複数のアクセサリ装置との間のデータ通信に用いられるデータ通信チャネルに接続されるアクセサリ通信部と、データ通信チャネルを介して撮像装置との間でデータ通信を行うアクセサリ制御部とを有する。アクセサリ制御部は、撮像装置にアクセサリ装置の認証情報を送信し、アクセサリ装置の認証情報に基づいて撮像装置が送信したスリープ要求コマンドを受信することに応じて、撮像装置からのデータ送信に応答して処理を行う動作状態からデータ送信を受けても処理を行わないスリープ状態に移行することを特徴とする。
【手続補正４】
【補正対象書類名】明細書
【補正対象項目名】００１０
【補正方法】変更
【補正の内容】
【００１０】
また、本発明の他の一側面としての制御方法は、複数のアクセサリ装置が接続された状態で使用可能な撮像装置であり、該撮像装置と複数のアクセサリ装置との間でデータ通信チャネルを介してデータ通信を行う撮像装置に適用される。該制御方法は、撮像装置に、複数のアクセサリ装置のそれぞれから認証情報を取得させるステップと、撮像装置に、複数のアクセサリの認証情報に基づいて選択された、複数のアクセサリ装置のうち少なくとも１つのスリープ対象アクセサリ装置に対して、該スリープ対象アクセサリ装置を撮像装置からのデータ送信に応答して処理を行う動作状態からデータ送信を受けても処理を行わないスリープ状態に移行させるためのスリープ要求コマンドを送信させるステップを有することを特徴とする。
【手続補正５】
【補正対象書類名】明細書
【補正対象項目名】００１１
【補正方法】変更
【補正の内容】
【００１１】
さらに本発明の他の一側面としての制御方法は、複数のアクセサリ装置が接続された状態で使用可能な撮像装置に接続されるアクセサリ装置であり、撮像装置と複数のアクセサリ装置との間でデータ通信チャネルを介してデータ通信を行うアクセサリ装置に適用される。該制御方法は、アクセサリ装置に認証情報をカメラへ送信させるステップと、アクセサリ装置の認証情報に基づいて撮像装置が送信したスリープ要求コマンドを受信することに応じて、撮像装置からのデータ送信に応答して処理を行う動作状態からデータ送信を受けても処理を行わないスリープ状態にアクセサリ装置を移行させるステップを有することを特徴とする。